(57)【特許請求の範囲】
【請求項１】
２つの壁パネルを一側端部で互いに突き合わせてほぼ直角に接合一体化してなる平面視ほぼＬ型パネルと、
この平面視ほぼＬ型パネルのほぼ直角をなす外壁面を形成する２つの面のほぼ全幅にわたって取り付けられた平面視ほぼＬ型サイディングと、を備え、
前記平面視ほぼＬ型パネルのほぼ直角をなす外壁面を形成する２つの面には、そのほぼ全幅にわたって１枚の防水シートが貼り付けられると共に、各々の面の両側部に沿って胴縁が前記防水シートを挟んでそれぞれ取り付けられており、
この胴縁に対して、前記平面視ほぼＬ型サイディングが釘打ちにより固定されていること、を特徴とするサイディング付きコーナー壁パネルユニット。
【請求項２】
前記平面視ほぼＬ型サイディングは、前記平面視ほぼＬ型パネルのほぼ直角をなす外壁面を形成する２つの面にそれぞれ対応して、２つのサイディングを一側端部で互いに突き合わせてほぼ直角に接合一体化してなること、を特徴とする請求項１記載のサイディング付きコーナー壁パネルユニット。
【発明の詳細な説明】
【０００１】
【発明の属する技術分野】
本発明は、工業化住宅の施工に用いる幅を大きくしたサイディング付きのコーナー壁パネルユニットに関するものである。
【０００２】
【背景の技術】
住宅の工業化に伴って、住宅の屋根や壁や床を予めパネルとして工場で製造し、このようなパネルを、建築現場において組み立てて行くことにより、住宅の施工を行うようにしたパネル工法が近年盛んとなっている。
そして、工業化をさらに進めるために、複数のパネルを予め工場で組み立ててサブアッシー状態としておき、このような複数のパネルのサブアッシー品を建築現場で組み立てて行って、現場での工期を一層短縮するようにした技術もさらに盛んになってきている。
【０００３】
さらに、工場において、木質系の壁パネルの外壁面に予めサイディングを取り付けて製造し、建築現場で組み立てることにより、現場工期をより一層短縮する技術も行われている。
図６は従来の壁パネルコーナー部のサイディングの取付例を示した要部横断平面図である。
図示のように、先ず、一方の図示右側の壁パネル６１は、その外壁側の合板による面材６１ａの表面に、防水シート６２を貼り付けると共に、両側部等に沿って胴縁６３を釘打ちして取り付け、その胴縁６３にサイディング６４を釘打ちして取り付けたものである。この壁パネル６１において、例えば、パネル厚約９０ｍｍ程度等であり、なお、図中、６１ｂは内壁側の合板による面材、６１ｃは側部の角材による縦芯材である。
【０００４】
また、他方の図示左側の壁パネル６５も、その外壁側の合板による面材６５ａの表面に、防水シート６６を貼り付けると共に、両側部等に沿って胴縁６７を釘打ちして取り付け、その胴縁６７にサイディング６８を釘打ちして取り付けたものである。この壁パネル６５においても、パネル厚約９０ｍｍ程度等で、なお、図中、６５ｂは内壁側の合板による面材、６５ｃは側部の角材による縦芯材であり、また、６５ｄは側部の縦芯材６５ｃの内側に重ねて設けられた裏打ち用縦芯材である。
このような壁パネル６５の一端部側面に、図示のように、角材の半割材によるコーナー結合材６９を当てた状態で、側方から別の壁パネル６１の端部を、コーナー結合材６９および壁パネル６５の面材６５ｂに突き合わせる。
そして、一方の壁パネル６１の防水シート６２の側方延長部６２ａと他方の壁パネル６１の防水シート６６の側方延長部６６ａとを、コーナー結合材６９の部分で重ね合わせる。
【０００５】
さらに、その防水シート６２，６６の側方延長部６２ａ，６６ａの重ね合わせ部分に対応して、胴縁７１をコーナー結合材６９に釘打ちして取り付ける。
また、そのコーナー結合材６９の他の面にも、別の胴縁７２を釘打ちして取り付ける。
そして、図示のように、これらの胴縁７１，７２および前記胴縁６７に、横幅の小さな、例えば、約１１０ｍｍ×１１０ｍｍ程度等の平面視Ｌ型のコーナー用サイディング７３を釘打ちして取り付ける。
その後、このコーナー用サイディング７３の両側部と前記サイディング６４，６８との間の目地に沿ってそれぞれコーキング７４，７４を施す。
【０００６】
【発明が解決しようとする課題】
以上のように、従来は、現場において、図６に示したように、サイディング６４付きの壁パネル６１とサイディング６８付きの壁パネル６５とを突き合わせてから、コーナー結合材６９を設けたコーナー部に平面視Ｌ型のコーナー用サイディング７３を取り付けるようにしており、以下に説明するような問題が生じることがあった。
即ち、現場において、サイディング６４付きの壁パネル６１とサイディング６８付きの壁パネル６５とを突き合わせる際にコーナー結合材６９を使用しており、特に、このコーナー結合材６９とその図示右側の壁パネル６１の外壁側の面材６１ａとの接合部分表面には、木材の反りや寸法公差の集積等により不陸が生じ易く、その不陸に起因してコーナー用サイディング７３とサイディング６４とで段差が生じてしまうことがあり、外観に影響を与えることもある。
【０００７】
また、そのコーナー部において、一方の壁パネル６１の防水シート６２の側方延長部６２ａと他方の壁パネル６１の防水シート６６の側方延長部６６ａとを、コーナー結合材６９の部分で重ね合わせなければならず、その分だけ防水シート材を多く必要としており、これがコストにも影響していた。
さらに、サイディング６４付きの壁パネル６１とサイディング６８付きの壁パネル６５とを突き合わせるコーナー結合材６９を設けたコーナー部に、横幅の小さな平面視Ｌ型のコーナー用サイディング７３を取り付けるため、そのコーナー用サイディング７３の両側部と前記サイディング６４，６８との間の目地に沿ってそれぞれコーキング７４，７４を施さなければならず、その分だけコーキング材を多く必要としており、これもコストに影響していた。
【０００８】
そこで、本発明の目的は、コーナー部付近での不陸の発生の問題がなく、１枚の防水シートを設けるだけで良く、また、コーナー部付近でのコーキングを不要として、コストを抑えられると共に、工業化のさらなる促進にも寄与するようにしたサイディング付きコーナー壁パネルユニットを提供することにある。
【０００９】
【課題を解決するための手段】
以上の課題を解決すべく請求項１記載の発明は、例えば、図１に示すように、２つの壁パネル１，２を一側端部で、例えば、コーナー結合材３を設けることで、互いに突き合わせてほぼ直角に接合一体化してなる平面視ほぼＬ型パネル４と、この平面視ほぼＬ型パネル４のほぼ直角をなす外壁面を形成する２つの面のほぼ全幅にわたって取り付けられた平面視ほぼＬ型サイディング９と、を備え、前記平面視ほぼＬ型パネル４のほぼ直角をなす外壁面を形成する２つの面には、そのほぼ全幅にわたって１枚の防水シート５が貼り付けられると共に、各々の面の両側部に沿って胴縁６，６，６，６が前記防水シート５を挟んでそれぞれ取り付けられており、この胴縁６，６，６，６に対して、前記平面視ほぼＬ型サイディング９が釘打ちにより固定されている構成、を特徴としている。
【００１０】
このように、２つの壁パネル１，２を互いに突き合わせて接合一体化した平面視ほぼＬ型パネル４の２面のほぼ全幅にわたって平面視ほぼＬ型サイディング９を取り付けてなるサイディング付きコーナー壁パネルユニット１０なので、従来の如く現場で組み立てた場合のようなコーナー部付近での不陸の発生の問題がなくなり、従来のようなコーナー部付近でのコーキングも不要となる。また、防水シートについても、従来の如く２枚の防水シートをコーナー部付近で重ね合わせる必要がなくなり、１枚の防水シート５を平面視ほぼＬ型パネル４の表面に沿って設けるだけで良くなる。従って、従来との比較において、コストを抑えられるようになり、また、工業化の促進にもさらに寄与するものとなる。
さらに、平面視ほぼＬ型パネル４の２面のほぼ全幅にわたって１枚の防水シート５を貼り付けて、各々の面の両側部に沿ってそれぞれ取り付けた胴縁６，６，６，６に対し釘打ちにより平面視ほぼＬ型サイディング９を固定するので、防水シート５が１枚だけで済む。従って、工場でサイディング付きコーナーパネルユニット１０を迅速に組み立てられる。
【００１１】
そして、請求項２記載の発明は、請求項１記載のサイディング付きコーナー壁パネルユニット１０であって、例えば、図２に示すように、
前記平面視ほぼＬ型サイディング９は、前記平面視ほぼＬ型パネル４のほぼ直角をなす外壁面を形成する２つの面にそれぞれ対応して、２つのサイディング７，８を一側端部で互いに突き合わせてほぼ直角に接合一体化してなる構成、
を特徴としている。
【００１２】
このように、平面視ほぼＬ型パネル４の２面に対応する２つのサイディング７，８を互いに突き合わせて接合一体化して平面視ほぼＬ型サイディング９を形成するので、外壁面を上に向けて置いた状態の平面視ほぼＬ型パネル４に対して、そのほぼ直角をなす２面にサイディング７，８をそれぞれ作業性良く取り付けられる。
従って、工場でサイディング付きコーナー壁パネルユニット１０を容易に組み立てられる。
【００１５】
【発明の実施の形態】
以下に、本発明に係るサイディング付きコーナー壁パネルユニットの実施の各形態例を図１から図５に基づいて説明する。
【００１６】
＜第１の実施の形態例＞
先ず、図１は本発明を適用したサイディング付きコーナー壁パネルユニットの第１の実施の形態例を示す概略横断平面図であり、図中、１，２は壁パネル、３はコーナー結合材、４は平面視Ｌ型パネル、５は防水シート（防水透湿シート）、６は胴縁、７，８はサイディング、９は平面視Ｌ型サイディング、１０はサイディング付きコーナー壁パネルユニットである。
【００１７】
即ち、一方の図示右側の壁パネル１は、その外壁側の合板による面材１ａと、内壁側の同じく合板による面材１ｂとの間に、図示左端部に沿って角材による縦芯材１ｃと、図示右端部に沿って同じく角材による縦芯材１ｄとを介装すると共に、図示しないが、上端と下端および中間部に沿って同じく角材による横芯材を介装してなる。
また、他方の図示左側の壁パネル２も、その外壁側の合板による面材２ａと、内壁側の同じく合板による面材２ｂとの間に、図示下端部に沿って角材による縦芯材２ｃと、図示上端部に沿って同じく角材による縦芯材２ｄとを介装すると共に、図示しないが、上端と下端および中間部に沿って同じく角材による横芯材を介装してなる。
このような壁パネル２の図示下端部の側面に、図示のように、角材の半割材によるコーナー結合材３を当てた状態で、側方から別の壁パネル１の図示左端部を、コーナー結合材３および壁パネル２の面材２ｂに突き合わせる。
【００１８】
こうして２枚の壁パネル１，２を直角に接合一体化して組み立てた平面視Ｌ型パネル４の外壁面には、その壁パネル１の面材１ａと壁パネル２の面材２ａおよびコーナー結合材３により形成される２面の全面にわたって、外部側から内部側への防水機能と内部側から湿気を外部側に通す防水シートである１枚の防水透湿シート５を貼り付ける。
また、このように防水透湿シート５を貼り付けた平面視Ｌ型パネル４の外壁面には、さらに、その２面の両側部に沿って板材による縦方向の胴縁６，６，６，６をそれぞれ釘打ちして取り付けておく。
そして、以上のように防水透湿シート５および胴縁６，６，６，６を外壁面に取り付けた平面視Ｌ型パネル４を、図２に示すように、その外壁面を上に向けた状態で図示しない作業台または作業床に置いて、サイディングの取り付けを行う。
【００１９】
つまり、２枚のサイディング７，８を用意して、図２に示したように、一方のサイディング７を、壁パネル１の面材１ａおよびコーナー結合材３側の胴縁６，６にそれぞれ釘打ちして取り付けると共に、このサイディング７に端部を互いに突き合わせるようにして他方のサイディング８を、壁パネル２の面材２ａおよびコーナー結合材３側の胴縁６，６にそれぞれ釘打ちして取り付ける。
こうして２枚のサイディング７，８を直角に接合一体化して組み立てた平面視Ｌ型サイディング９を、平面視Ｌ型パネル４の外壁面に一体化して備えたサイディング付きコーナー壁パネルユニット１０を組み立てる。
なお、平面視Ｌ型サイディング９は、図２に示すように、角部が直角となっているため、図３に示したように、その角部を面取り加工した面取り部９ａとしておく。また、図示しないが、このような平面視Ｌ型サイディング９の上端または／および下端は、互いに接続するための実矧ぎ構造となっている。
【００２０】
以上によって、例えば、約５２０ｍｍ×５２０ｍｍ程度と横幅の大きいサイディング付きコーナー壁パネルユニット１０を得る。
このようなサイディング付きコーナー壁パネルユニット１０によれば、以下に列挙する諸効果を発揮できる。
（１）従来の如く現場で組み立てた場合のようなコーナー部付近での不陸の発生の問題を解消でき、従来のようなコーナー部付近でのコーキングも不要にできる。
（２）従来の如く２枚の防水シートをコーナー部付近で重ね合わせる必要がなく、１枚の防水透湿シート５を設けるだけで済む。
（３）外壁面を上に向けて置いた状態の平面視Ｌ型パネル４に対して、その直角をなす２面にサイディング７，８をそれぞれ作業性良く取り付けられる。
（４）以上により、工場において、サイディング付きコーナー壁パネルユニット１０を容易かつ迅速に組み立てられ、しかも、従来との比較において、コストを抑えられ、また、工業化もさらに促進できる。
【００２１】
＜第２の実施の形態例＞
図４は本発明を適用したサイディング付きコーナー壁パネルユニットの第２の実施の形態例を示す概略横断平面図であり、図示のように、一方の図示右側の壁パネル１１は、前述した第１の実施の形態例と同様に、外壁側の合板による面材１１ａ、内壁側の同じく合板による面材１１ｂ、図示左端部に沿った角材による縦芯材１１ｃ、図示右端部に沿った同じく角材による縦芯材１１ｄ、図示しない横芯材からなる。
また、他方の図示左側の壁パネル１２は、図示上下方向の幅が前記壁パネル１１の図示左右方向の幅よりもかなり小さなもので、外壁側の合板による面材１２ａ、内壁側の同じく合板による面材１２ｂ、図示下端部に沿った角材による縦芯材１２ｃ、図示上端部に沿った同じく角材による縦芯材１２ｄ、図示しない横芯材からなる。
このような図示上下方向の幅が小さい壁パネル１２の図示下端部の側面に、図示のように、前述した第１の実施の形態例と同様に、角材の半割材によるコーナー結合材１３を当てた状態で、側方から別の壁パネル１１の図示左端部を、コーナー結合材１３および壁パネル１２の面材１２ｂに突き合わせる。
【００２２】
こうして幅が異なる２枚の壁パネル１１，１２を直角に接合一体化して組み立てた平面視Ｌ型パネル１４の外壁面に、前述した第１の実施の形態例と同様に、その壁パネル１１の面材１１ａと壁パネル１２の面材１２ａおよびコーナー結合材１３により形成される２面の全面にわたって１枚の防水透湿シート１５を貼り付けると共に、さらに、その２面の両側部に沿って板材による縦方向の胴縁１６，１６，１６，１６をそれぞれ釘打ちして取り付けておく。
このように防水透湿シート１５および胴縁１６，１６，１６，１６を外壁面に取り付けた平面視Ｌ型パネル１４を、前述した第１の実施の形態例と同様に、その外壁面を上に向けた状態で図示しない作業台または作業床に置いて（図２参照）、幅が広い方のサイディング１７を、壁パネル１１の面材１１ａおよびコーナー結合材１３側の胴縁１６，１６にそれぞれ釘打ちして取り付けると共に、このサイディング１７に端部を互いに突き合わせるようにして幅が狭い方のサイディング１８を、壁パネル１２の面材１２ａおよびコーナー結合材１３側の胴縁１６，１６にそれぞれ釘打ちして取り付ける。
【００２３】
こうして幅が異なる２枚のサイディング１７，１８を直角に接合一体化して組み立てた平面視Ｌ型サイディング１９を、平面視Ｌ型パネル１４の外壁面に一体化して備えたサイディング付きコーナー壁パネルユニット１０を組み立てる。
そして、前述した第１の実施の形態例と同様に、平面視Ｌ型サイディング１９の直角となっている角部を面取り加工した面取り部１９ａとしておく。
以上によって、例えば、約２２７．５ｍｍ×４５５ｍｍ程度のサイディング付きコーナー壁パネルユニット２０を得る。
このようなサイディング付きコーナー壁パネルユニット２０によっても、前述した第１の実施の形態例により発揮できる諸効果が同様に得られる。
【００２４】
なお、以上の実施の両形態例においては、２枚のサイディングを一側端部で互いに突き合わせて幅の大きな平面視Ｌ型サイディングとしたが、本発明はこれに限定されるものではなく、次の第３の実施の形態例で説明するような一体成形によって得られる幅の大きな平面視Ｌ型サイディングを使用してもよい。
また、以上の実施の両形態例では、出隅部について説明したが、次に、入隅部の実施の形態例について説明する。
【００２５】
＜第３の実施の形態例＞
図５は本発明を適用したサイディング付きコーナー壁パネルユニットの第３の実施の形態例を示す概略横断平面図であり、図示のように、一方の図示右側の壁パネル２１は、前述した第１の実施の形態例と同様に、外壁側の合板による面材２１ａ、内壁側の同じく合板による面材２１ｂ、図示左端部に沿った角材による縦芯材２１ｃ、図示右端部に沿った同じく角材による縦芯材２１ｄ、図示しない横芯材からなる。
また、他方の図示左側の壁パネル２２も、外壁側の合板による面材２２ａ、内壁側の同じく合板による面材２２ｂ、図示下端部に沿った角材による縦芯材２２ｃ、図示上端部に沿った同じく角材による縦芯材２２ｄ、図示しない横芯材からなる。
このような壁パネル２２の図示下端部の側面に、図示のように、前述した第１の実施の形態例と同様に、角材の半割材によるコーナー結合材２３を当てた状態で、側方から別の壁パネル２１の図示左端部を、コーナー結合材２３および壁パネル２２の面材２２ｂに突き合わせる。
【００２６】
こうして２枚の壁パネル２１，２２を直角に接合一体化して組み立てた平面視Ｌ型パネル２４の外壁面に、前述した第１の実施の形態例と同様に、その壁パネル２１の面材２１ａと壁パネル２２の面材２２ａにより形成される２面の全面にわたって１枚の防水透湿シート２５を貼り付けると共に、さらに、その２面の両側部に沿って板材による縦方向の胴縁２６，２６，２６，２６をそれぞれ釘打ちして取り付けておく。
このように防水透湿シート２５および胴縁２６，２６，２６，２６を外壁面に取り付けた平面視Ｌ型パネル２４に対して、その外壁面（入隅部）に、予め一体成形によって得た幅の大きな平面視Ｌ型サイディング２７を取り付ける。
即ち、予め用意しておいた一体成形品の平面視Ｌ型サイディング２７の一半部２７ａを、壁パネル２１の面材２１ａ側の胴縁２６，２６にそれぞれ釘打ちして取り付けると共に、その一体成形品の平面視Ｌ型サイディング２７の他半部２７ｂを、壁パネル２２の面材２２ａ側の胴縁２６，２６にそれぞれ釘打ちして取り付ける。
【００２７】
こうして一体成形品の平面視Ｌ型サイディング２７を、平面視Ｌ型パネル２４の外壁面に一体化して備えたサイディング付きコーナー壁パネルユニット３０を組み立てる。
以上によって、前述した第１の実施の形態例と同様に、例えば、約５２０ｍｍ×５２０ｍｍ程度の入隅用のサイディング付きコーナー壁パネルユニット３０を得る。
このようなサイディング付きコーナー壁パネルユニット３０によっても、前述した第１の実施の形態例により発揮できる諸効果が同様に得られることに加え、一体成形品の平面視Ｌ型サイディング２７を使用することから、サイディング付きコーナー壁パネルユニット３０をさらに容易かつ迅速に組み立てることができるといった利点も得られる。
【００２８】
なお、以上の実施の各形態例の他、本発明に係るサイディング付きコーナー壁パネルユニットとしての諸元寸法等も任意であり、その他、具体的な細部構造や材質等についても適宜に変更可能であることは勿論である。
【００２９】
【発明の効果】
以上のように、請求項１記載の発明に係るサイディング付きコーナー壁パネルユニットによれば、２つの壁パネルを互いに突き合わせて接合一体化した平面視ほぼＬ型パネルの２面のほぼ全幅にわたって平面視ほぼＬ型サイディングを取り付けてなる構成のため、従来の如く現場で組み立てた場合のようなコーナー部付近での不陸の発生の問題を解消できると共に、従来のようなコーナー部付近でのコーキングも不要なものにすることができる。しかも、防水シートについては、従来の如く２枚の防水シートをコーナー部付近で重ね合わせる必要がなく、１枚の防水シートを平面視ほぼＬ型パネルの表面に沿って設けるだけで良いものにすることができる。従って、従来との比較において、コストを抑えることができ、また、工業化の促進にもさらに寄与することができる。
さらに、平面視ほぼＬ型パネルの２面のほぼ全幅にわたって１枚の防水シートを貼り付けて、各々の面の両側部に沿ってそれぞれ取り付けた胴縁に対し釘打ちにより平面視ほぼＬ型サイディングを固定するため、防水シートが１枚だけで済むものとなる。従って、工場において、サイディング付きコーナー壁パネルユニットを迅速に組み立てることができる。
【００３０】
そして、請求項２記載の発明に係るサイディング付きコーナー壁パネルユニットによれば、平面視ほぼＬ型パネルの２面に対応する２つのサイディングを互いに突き合わせて接合一体化して平面視ほぼＬ型サイディングを形成するため、外壁面を上に向けて置いた状態の平面視ほぼＬ型パネルに対して、そのほぼ直角をなす２面にサイディングをそれぞれ作業性良く取り付けることができるようになる。
従って、請求項１記載の発明による効果が得られることに加え、工場において、サイディング付きコーナー壁パネルユニットを容易に組み立てることができる。
【図面の簡単な説明】
【図１】本発明を適用したサイディング付きコーナー壁パネルユニットの第１の実施の形態例を示す概略横断平面図である。
【図２】図１の平面視ほぼＬ型パネルに対する平面視ほぼＬ型サイディングの取り付けの仕方を説明する分解横断平面図である。
【図３】図２の平面視ほぼＬ型パネルに対する取付後の平面視ほぼＬ型サイディングの角部面取りを説明する分解横断平面図である。
【図４】本発明を適用したサイディング付きコーナー壁パネルユニットの第２の実施の形態例を示す概略横断平面図である。
【図５】本発明を適用したサイディング付きコーナー壁パネルユニットの第３の実施の形態例を示す概略横断平面図である。
【図６】従来の壁パネルコーナー部のサイディングの取付例を示した要部横断平面図である。
【符号の説明】
１，２，１１，１２，２１，２２  壁パネル
３，１３，２３  コーナー結合材
４，１４，２４  平面視Ｌ型パネル
５，１５，２５  防水シート（防水透湿シート）
６，１６，２６  胴縁
７，８，１７，１８  サイディング
９，１９，２７  平面視Ｌ型サイディング
１０，２０，３０  サイディング付きコーナー壁パネルユニット
【図１】
0003617557.tif 000002
【図２】
0003617557.tif 000003
【図３】
0003617557.tif 000004
【図４】
0003617557.tif 000005
【図５】
0003617557.tif 000006
【図６】
0003617557.tif 000007